(57)【要約】【課題】フィルターユニットの着脱を容易にすることができる空気清浄機を提供することを目的とする。【解決手段】縦長の本体９と、この本体９内に縦長に設けられるクロスフローファン（図示せず）と、クロスフローファンの吸気流側に配設される縦長のフィルターユニット１５と、本体９の底部に着脱自在に設けられる底板２２とを備え、フィルターユニット１５の清掃または交換時には本体９を寝かせ、底板２２を取り外し、フィルターユニット１５を取り出して清掃または交換するのでフィルターユニット１５の着脱を容易にすることができる空気清浄機が得られる。【選択図】図１
2006022977.tif 000002
【特許請求の範囲】
【請求項１】
縦長の本体と、この本体内に縦長に設けられるクロスフローファンと、このクロスフローファンの吸気流側に配設される縦長のフィルターユニットとを備え、前記縦長のフィルターユニットを本体の下面より着脱自在に装着される構成とした空気清浄機。
【請求項２】
本体の背面側を形成する湾曲度の大きい円弧面で形成した本体ケースの表面に、本体を寝かせたときに、本体が転がるのを阻止する突起を設けた請求項１記載の空気清浄機。
【請求項３】
本体ケースの前方を覆う形状のフロントパネルを、フロントパネルの両端部に設けた結合手段で本体ケースに結合する構成とした請求項１または２記載の空気清浄機。
【請求項４】
フィルターユニットを枠付集塵フィルター部と、脱臭フィルター部を収納枠に収納自在に設けて形成した請求項１記載の空気清浄機。
【請求項５】
収納枠に本体内に設けたスライドレールに係合する複数の凸状リブを設けた請求項４記載の空気清浄機。
【請求項６】
枠付集塵フィルター部に設けられるフィルター側電極と、本体内に設けられる本体側電極とを接続する電極接続板を収納枠に付設した請求項４記載の空気清浄機。
【請求項７】
枠付集塵フィルターに表面加工を施し、中性洗剤で洗浄可能に形成した請求項４記載の空気清浄機。
【請求項８】
枠付集塵フィルターに中性洗剤を上部より振り掛け、水洗いして乾燥する構成とした空気清浄機。
【請求項９】
枠付集塵フィルターを収納する椀部を設け、洗浄時に集塵フィルターを水没可能とした請求項７記載の空気清浄機。
【請求項１０】
フィルターユニットを本体上面より着脱可能とした請求項１記載の空気清浄機。
【発明の詳細な説明】
【技術分野】
【０００１】
本発明は、室内に設置し、室内の汚染された空気を浄化する空気清浄機に関する。
【背景技術】
【０００２】
従来、この種の空気清浄機の一例として、本体の下方からフィルターを着脱するものが知られている（例えば、特許文献１参照）。
【０００３】
以下、その空気清浄機について、図１２および図１３を参照しながら説明する。
【０００４】
図に示すように、横長の本体１０１内の上方部に、横長のクロスフローファン１０２を設け、本体１０１の前面に吸込口１０３を設け、吸込口１０３の内側に放電極１０４と、下方に引き出し自在に設けた保持枠１０５にフィルター１０６を設けて構成していた。
【特許文献１】特開平９−２７１６９３号公報（［００１３］〜［００１６］図１、図２）
【発明の開示】
【発明が解決しようとする課題】
【０００５】
このような従来の空気清浄機では、横長の本体１０１内に横長のクロスフローファン１０２を設け、横長の本体１０１と横長のクロスフローファン１０２に対し直交する方向にフィルター１０６を有した保持枠１０５を引き出し自在に設けているため、本体１０１が大形になるとともに、フィルター１０６を有した保持枠１０５の着脱時に保持枠１０５がこじれ易く、着脱が困難であるという課題があり、フィルター１０６を設けた保持枠１０５の着脱を容易にすることが要求されている。
【０００６】
本発明は、このような従来の課題を解決するものであり、フィルターユニットの着脱を容易にすることができる空気清浄機を提供することを目的としている。
【課題を解決するための手段】
【０００７】
本発明の空気清浄機は上記目的を達成するために、縦長の本体と、この本体内に縦長に設けられるクロスフローファンと、このクロスフローファンの吸気流側に配設される縦長のフィルターユニットとを備え、前記縦長のフィルターユニットを本体の下面より着脱自在に装着される構成としたものである。
【０００８】
この手段により、フィルターユニットの着脱を容易にすることができる空気清浄機が得られる。
【０００９】
また、他の手段は、本体の背面側を形成する湾曲度の大きい円弧面で形成した本体ケースの表面に、本体を寝かせたときに本体が転がるのを阻止する突起を設けたものである。
【００１０】
この手段により、本体を寝かせたときに本体が安定しフィルターユニットの着脱が容易となる空気清浄機が得られる。
【００１１】
また、他の手段は、本体ケースの前方を覆う形状のフロントパネルを、フロントパネルの両端部に設けた結合手段で本体ケースに結合する構成としたものである。
【００１２】
この手段により、フロントパネルに着脱用のリブ形状を設ける必要がなくなり、フロントパネルの成形時のひけをなくし外観の平面度を保つことができるフロントパネルが得られる。
【００１３】
また、他の手段は、フィルターユニットを枠付集塵フィルター部と、脱臭フィルター部を収納枠に収納自在に設けて形成したものである。
【００１４】
この手段により、集塵フィルターまたは脱臭フィルターの交換時にフィルターユニット全体を交換する必要がなくなるフィルターユニットが得られる。
【００１５】
また、他の手段は、収納枠に本体内に設けたスライドレールに係合する複数の凸状リブを設けたものである。
【００１６】
この手段により、フィルターユニットの着脱をスムーズに行なうことができる空気清浄機が得られる。
【００１７】
また、他の手段は、枠付集塵フィルター部に設けられるフィルター側電極と、本体内に設けられる本体側電極とを接続する電極接続板を収納枠に付設したものである。
【００１８】
この手段により、枠付集塵フィルター部および本体内の電極の設置位置をルーズにすることが可能となり、本体内の構造の簡略化が図られる空気清浄機が得られる。
【００１９】
また、他の手段は、枠付集塵フィルター部の表面加工を施し、中性洗剤で洗浄可能に形成したものである。
【００２０】
この手段により、一般家庭で容易に洗浄して再使用でき、ランニングコストの低減を図ることのできる枠付集塵フィルター部が得られる。
【００２１】
また、他の手段は、枠付集塵フィルター部に中性洗剤を上部より振り掛け、水洗いして乾燥する構成としたものである。
【００２２】
この手段により、漬け置きスペースの必要がなくなり、メンテナンスが容易にできる。
【００２３】
また、他の手段は、枠付集塵フィルター部を収納する椀部を設け、洗浄時に集塵フィルター部を水没可能としたものである。
【００２４】
この手段により、大形の漬け置きスペースの必要がなくなりメンテナンスが容易にできる。
【００２５】
また、フィルターユニットを本体上面より着脱可能としたものである。
【００２６】
この手段により、本体を寝かせることなくフィルターユニットの着脱を行なうことができるとともに、メンテナンス時の使用者の負担が軽減できる。
【発明の効果】
【００２７】
本発明によれば、フィルターユニットの着脱を容易にできる空気清浄機を提供できる。
【００２８】
また、外観の平面度を保つことのできるフロントパネルを提供できる。
【００２９】
また、集塵フィルター部および脱臭フィルター部を単独で交換可能で変形も防止できるという空気清浄機を提供できる。
【００３０】
また、フィルターユニットの着脱をスムーズに行なうことができる。
【００３１】
また、集塵フィルター部と本体内の電極との接続が容易にできる。
【００３２】
また、集塵フィルター部を一般家庭で容易に洗浄することができる。
【００３３】
また、集塵フィルター部の洗浄時における大形の漬け置きスペースの必要がなくなる。
【発明を実施するための最良の形態】
【００３４】
本発明の請求項１記載の発明は、縦長の本体と、この本体内に縦長に設けられるクロスフローファンと、このクロスフローファンの吸気流側に配設される縦長のフィルターユニットとを備え、前記縦長のフィルターユニットを本体の下面より着脱自在に装着される構成としたものであり、フィルターユニットの着脱の際に分解する部品の小形化ができ、取り扱いし易く、集塵面に直面せずにフィルターユニットの取り外しが可能であり、目鼻に塵埃が降りかかることもなく、本体を寝かせた状態で、フィルターユニットを着脱するのでフィルターユニットの着脱を容易にすることができるという作用を有する。
【００３５】
また、請求項２記載の発明は、本体の背面側に形成する湾曲度の大きい円弧面で形成した本体ケースの表面に、本体を寝かせときに、本体が転がるのを阻止する突起を設けたものであり、本体を寝かせた状態でも、本体ケースに設けた突起により、本体が安定し、フィルターユニットの着脱を容易に行なうことができるという作用を有する。
【００３６】
また、請求項３記載の発明は、本体ケースの前方を覆う形状のフロントパネルを、フロントパネルの両端部に設けた結合手段で本体ケースに結合する構成したものであり、従来は集塵部は前面から着脱するものであったので、本体前面に設けられるフロントパネルを着脱可能にする必要があったためフロントパネルの表面に着脱を可能にするリブ等を設ける必要があり、リブを設けることによりフロントパネルの表面に成形時のひけが発生するものであったが、フロントパネルを外す必要がないので着脱用のリブを設ける必要がなくなり、フロントパネルにひけが発生することがなく、外観の平面度を保つことができるという作用を有する。
【００３７】
また、請求項４記載の発明は、フィルターユニットを枠付集塵フィルター部と、脱臭フィルター部を収納部に収納自在に設けて形成したものであり、フィルターユニットが枠付集塵フィルター部と脱臭フィルター部と収納枠とに分解可能であるため、集塵フィルターまたは脱臭フィルター交換時、フィルターユニット全体の交換でなく、枠付集塵フィルター部または脱臭フィルター部が単独で交換可能となる。また、着脱時に枠付集塵フィルター部および脱臭フィルター部には負荷がかからずに変形を防止でき、かつ、変形によるエアリークなどの問題がなくなり、性能の安定化が図れるという作用を有する。
【００３８】
また、請求項５記載の発明は、収納枠に本体内に設けたスライドレールに係合する複数の凸状リブを設けたものであり、フィルターユニットの着脱をスムーズに行なうことができるとともにフィルターユニットの強度が増し、変形を防止でき、且つ変形によるエアリークがなくなり性能の安定化が図れる。また、凸状のリブ形状を統一させることで共用化が図れるとともに、リブ形状にすることで着脱時の摩擦を軽減させ、着脱が容易に行なえるという作用を有する。
【００３９】
また、請求項６記載の発明は、枠付集塵フィルター部に設けられるフィルター側電極と、本体内に設けられる本体側電極とを接続する電極接続板を収納枠に付設したものであり、枠付集塵フィルター部と本体内電極との間に収納枠に設けた接続板を設置し、中継的な電極として用いることで、枠付集塵フィルター部および本体内電極の設置位置をルーズにすることが可能となり、本体内の構造の簡略化を図れるという作用を有する。
【００４０】
また、請求項７記載の発明は、枠付集塵フィルター部に表面加工を施し、中性洗剤で洗浄可能に形成したものであり、一般家庭にある中性洗剤で洗浄し再使用が可能であるため、一般家庭で容易に洗浄して再使用を行なうことができ、ランニングコストを低減することができるという作用を有する。
【００４１】
また、請求項８記載の発明は、枠付集塵フィルター部に中性洗剤を上部より振り掛け、水洗して乾燥する構成としたので、集塵フィルター部を漬け置きする大きなスペースの必要がなくなり、メンテナンスが容易に出来るという作用を有する。
【００４２】
また、請求項９記載の発明は、枠付集塵フィルター部を収納する椀部を設け、洗浄時に集塵フィルター部を水没可能としたものであり、大きな漬け置き用のスペースの必要がなくなり、メンテナンスが容易に出来るという作用を有する。
【００４３】
また、請求項１０記載の発明は、フィルターユニットを本体の上面より着脱可能としたものであり、本体を寝かすことなくフィルターユニットの着脱を行なうことができるという作用を有する。
【００４４】
以下、本発明の実施の形態について図面を参照しながら説明する。
【００４５】
（実施の形態１）
図１〜図７に示すように、湾曲度の大きい円弧面で両端部にコの字状の受部１を設け、横吸込口２と横吹出口３を設けた本体ケース４と、本体ケース４の前方を覆う形状で前面吹出口５を有し、両端部に本体ケース４に設けた受部１に係合するＬ字状の係合部６を設けたフロントパネル７を設け、受部１と係合部６により結合手段８を形成し、本体ケース４にフロントパネル７を結合して縦長の本体９を形成する。本体９内にはモータ１０により駆動される縦長のクロスフローファン１１を設け、クロスフローファン１１の吸気側には、枠付集塵フィルター部１２と脱臭フィルター部１３を収納する収納枠１４により、複数のフィルターユニット１５を八の字状に配設する。
【００４６】
また、本体９内のフィルターユニット１５の収納部１６にはフィルターユニット１５をスライドするスライドレール１７を設け、スライドレール１７に係合してスライドする凸部１８をフィルターユニット１５の収納枠１４の側面に複数設け、枠付集塵フィルター部１２に設けられるフィルター側電極１９と、本体９内に設けられる本体側電極２０に接続される電極接続板２１を収納枠１４に設ける。
【００４７】
また、本体９の底部には底板２２を着脱可能に設け、本体９を寝かせ底板２２を取り外すことにより、フィルターユニット１５が本体９の底面より着脱自在となるように設けている。このとき本体９を本体ケース４側を床面２３に対面して寝かせたときに、円弧面を有する本体９が転がらないように阻止する突起２４を本体ケース４の表面に設け構成する。
【００４８】
上記構成において、空気清浄機を運転すると、横吸込口２より室内の汚染された空気がフィルターユニット１５を通過してほこり、臭いが捕集され、清浄な空気がクロスフローファン１１により横吹出口３に向かい吹き出されるとともに、一部は前面吹出口５より吹き出されて室内空気の浄化が行なわれる。
【００４９】
次に、フィルターユニット１５の掃除や交換をするときには、床面２３に本体ケース４側が対面するように寝かせる。このとき、本体ケース４の表面に設けた突起２４が床面２３に接して本体ケース４の転がりが阻止される状態となる。
【００５０】
また、フィルターユニット１５を本体９より取り外すときには、本体９の底面に設けた底板２２を取り外し、さらにフィルターユニット１５に設けた取手部１５ａに手を掛けて引き出すことにより、フィルターユニット１５の凸部１８が本体９の収納部１６に設けたスライドレール１７上をゆっくりと移動させてフィルターユニット１５を取り外し、フィルターユニット１５の掃除または交換ができる。そのあとはフィルターユニット１５を本体９の収納部１６にスライドして収納し、底板２２を取り付け、本体９を立てて空気清浄機として使用する。
【００５１】
このように本体９の下面よりフィルターユニット１５の着脱を行なうので、着脱時には底板２２のみを取り外せばよく、着脱する部品も小さく取り扱い易く、本体９をあらかじめ寝かせた状態でフィルターユニット１５の着脱ができるので、縦長の本体９が倒れる危険もなく縦長のフィルターユニット１５を容易に着脱することができる。
【００５２】
また、フィルターユニット１５の着脱時に本体９を寝かせたときには、突起２４により本体９の転がりが阻止され、フィルターユニット１５の着脱がさらに容易となる。
【００５３】
また、フィルターユニット１５は枠付集塵フィルター部１２と脱臭フィルター部１３を収納枠１４に収納自在としているため、フィルターユニット１５の分解が容易で単体毎に交換が可能となり、フィルターユニット１５の変形も少なくエアリークなどの問題も発生しなくなる。
【００５４】
また、枠付集塵フィルター部１２に設けられるフィルター側電極１９と本体９内に設けた本体側電極２０とを接続する電極接続板２１を収納枠１４に設けたので、フィルター側電極１９と本体側電極２０の位置をルーズにすることも可能となり、また、フロントパネル７は両端部で本体ケース４と結合し、フロントパネル７は着脱できないように形成することにより、フロントパネル７に着脱用のリブ等を設ける必要がなくなり、合成樹脂の金型成形時に生じやすいフロントパネル７の変形やひけ等の発生がなくなり、フロントパネル７表面の平面度や質感が保たれ、空気清浄機としての清潔感のある外観を呈することができる。
【００５５】
（実施の形態２）
図８に示すように、枠付集塵フィルター部１２Ａにシリコン樹脂をコーティングして表面加工２５を施し、中性洗剤で洗浄可能に形成し構成する。
【００５６】
上記構成において、枠付集塵フィルター部１２Ａを清掃するときには、一般家庭にある中性洗剤で洗浄することができ、再使用ができることによりランニングコストを低減することができる。
【００５７】
（実施の形態３）
図９に示すように、中性洗剤を上部より振り掛け水洗いして乾燥することにより掃除できるように枠付集塵フィルター部１２Ｂを構成する。
【００５８】
上記構成において、枠付集塵フィルター部１２Ｂを掃除するときには、枠付集塵フィルター部１２Ｂ自体に直接中性洗剤を振り掛けたのち、水洗いして乾燥することにより、枠付集塵フィルター部１２Ｂが清掃され再利用が可能となるので、長手寸法の大なる枠付集塵フィルター部１２Ｂを漬け置きするための大きな容器の必要がなくなり、枠付集塵フィルター部１２Ｂの清掃が容易となる。
【００５９】
（実施の形態４）
図１０に示すように、枠付集塵フィルター部１２Ｃを入れることができる形状の椀部２６を付属品等として用意しておくことにより、枠付集塵フィルター部１２Ｃの清掃時に椀部２６に枠付集塵フィルター部１２Ｃを中性洗剤等の溶剤の中に漬け置きすることができるように構成する。
【００６０】
上記構成において、枠付集塵フィルター部１２Ｃを清掃するときに、椀部２６内に枠付集塵フィルター部１２Ｃを収め、中性洗剤を掛けて、中性洗剤により枠付集塵フィルター部１２Ｃを椀部２６内で漬け置きしたのち、洗浄して乾燥し、枠付集塵フィルター部１２Ｃを清掃することにより、枠付集塵フィルター部１２Ｃを漬け置きするために大きな容器を用いる必要がなくなり、小スペースで枠付集塵フィルター部１２Ｃの清掃を行なうことができる。
【００６１】
（実施の形態５）
図１１に示すように、本体９Ａに設けられる操作部２７と、本体９Ａの上方部の前面側に設け、本体９Ａは上面を開口し、本体９Ａの上面からフィルターユニット１５Ａを着脱できるように設け、本体９Ａの上面には着脱自在な蓋２８を設け構成する。
【００６２】
上記構成において、フィルターユニット１５Ａを交換したり掃除をするときには、本体９Ａを縦長に立てた状態で、蓋２８を取り外し、本体９Ａの上面よりフィルターユニット１５Ａを取り出し掃除を行なったり交換したりしたのち、本体９Ａの上面よりフィルターユニット１５Ａを本体９Ａ内に収納することができ、本体９Ａを寝かすことなく、フィルターユニット１５Ａの着脱を行なうことができ、フィルターユニット１５Ａの着脱が容易となる。
【産業上の利用可能性】
【００６３】
縦長の本体に縦長の部材を、本体の底部から組み込み機器を構成する場合の用途にも適用できる。
【図面の簡単な説明】
【００６４】
【図１】本発明の実施の形態１の空気清浄機の分解斜視図
【図２】同空気清浄機の一部破断した斜視図
【図３】同空気清浄機の本体ケースとフロントパネルの結合状態を示す部分斜視図
【図４】同空気清浄機を寝かせた状態を示す断面図
【図５】同空気清浄機のフィルターユニットの分解斜視図
【図６】同空気清浄機の電極接続板の斜視図
【図７】同空気清浄機のフィルターユニットの着脱状態を示す斜視図
【図８】本発明の実施の形態２の空気清浄機の枠付集塵フィルター部の断面図
【図９】本発明の実施の形態３の空気清浄機の枠付集塵フィルター部の断面図
【図１０】本発明の実施の形態４の空気清浄機の枠付集塵フィルター部の清掃時の状態を示す断面図
【図１１】本発明の実施の形態５の空気清浄機の正面図
【図１２】従来の空気清浄機の断面図
【図１３】同空気清浄機の保持枠を引き出した状態の正面図
【符号の説明】
【００６５】
４      本体ケース
７      フロントパネル
８      結合手段
９      本体
９Ａ    本体
１１    クロスフローファン
１２    枠付集塵フィルター部
１２Ａ  枠付集塵フィルター部
１２Ｂ  枠付集塵フィルター部
１２Ｃ  枠付集塵フィルター部
１３    脱臭フィルター部
１４    収納枠
１５    フィルターユニット
１５Ａ  フィルターユニット
１６    収納部
１７    スライドレール
１８    凸部
１９    フィルター側電極
２０    本体側電極
２１    電極接続板
２４    突起
２５    表面加工
２６    椀部
【図１】
2006022977.tif 000003
【図２】
2006022977.tif 000004
【図３】
2006022977.tif 000005
【図４】
2006022977.tif 000006
【図５】
2006022977.tif 000007
【図６】
2006022977.tif 000008
【図７】
2006022977.tif 000009
【図８】
2006022977.tif 000010
【図９】
2006022977.tif 000011
【図１０】
2006022977.tif 000012
【図１１】
2006022977.tif 000013
【図１２】
2006022977.tif 000014
【図１３】
2006022977.tif 000015